(57)【要約】　　　（修正有）【課題】操作が簡単で、液体化粧品の流量をコントロールして、塗布できる液体化粧用ペンを提供する。【解決手段】液体の化粧品１２を収納する管状部分１０の内側には径がやや小さく断面が丸くない収納部分１１がある。管状部分の上端にはヘッド部分２０があり、その外側にはキャップ３０がある。管状部分の内側の作動棒４０の上端は管状部分の収納部分に対応して、上部ふた４２が設けられている。その上部ふたの外径と収納部分はきっちり合わさり密閉される。また、上部ふたの下方には作動棒を収納する。その作動棒の外周にはネジ山４１が設けられていて、さらに、管状部分の下方には回転スティック５０がはめ込まれていて、その回転スティック上段には、駆動管５１があって、管状部分の下部に収納され、さらに、作動棒を挿入する。その駆動管内壁には作動棒のネジ山に対応する突出部分５１１がある。【選択図】図１
0003098280.tif 000002
【実用新案登録請求の範囲】
【請求項１】
中が空洞の管状体で、液体化粧品を収納することができ、その内側は、内径がやや小さく、断面が丸くない収納部分が形成されていて、その下端には溝が設けられている管状部分と、
管状部分上端内にきっちりとはまり込み、気密状態を形成し、その先端には、塗布部分があり、さらに、軸に沿って貫通した引流口があるヘッド部分と、
きっちりと管状部分にはまり込んで、ヘッド部分に対して密閉状態を形成するキャップと、
管状部分内に挿入されていて、その作動棒の外周面にはネジ山があって、さらに、その上端は管状部分の収納部分に対応した、外周の輪郭が収納部分と同じである上部ふたが設けられていて、その上部ふたの外径と収納部分がにきっちりと当てはまるようになった作動棒と、
その上段に駆動管があって、管状部分の下部にはめ込むようになっていて、さらに、作動棒にはめ込まれ、その駆動管内壁は作動棒のネジ山に対応する突出部分が少なくとも一つ以上あって、駆動管外壁は溝する位置に環状の突起リングがあって、管状部分を回転スティックの決まった位置に固定するようになっている回転スティックからなる、液体化粧用ペン。
【請求項２】
収納部分の内壁断面が正六角形であり、上部ふたの断面も正六角形であるという特長を持つ、請求項１に記載の液体化粧用ペン。
【請求項３】
塗布部分がウール状の布で覆われているという特長を持つ、請求項１に記載の液体化粧用ペン。
【請求項４】
駆動管両側に切り込みが設けられている、請求項１に記載の液体化粧用ペン。
【請求項５】
上部ふたの周囲にＯ型リングがはめ込まれた、請求項１に記載の液体化粧用ペン。
【請求項６】
上部ふたの先端に気密マットがあって、その気密マットが上部ふたの形状に対応した、請求項１に記載の液体化粧用ペン。
【請求項７】
ヘッド部分が、芯部分及び外部カバーからなり、その芯部分底部に環状の突起部分があって、管状部分内にきっちりとはまり込んで密閉し、その外部カバーが芯部分の外にかぶせられ、管状部分内にきっちりはまり込んで気密状態にするという特長を持つ、請求項１に記載の液体化粧用ペン。
【請求項８】
その外部カバーの外周には、上に向かって徐々に細くなった円錐部分があり、キャップ内部の円錐部分に対応する位置に環状カバーがある、請求項７に記載の液体化粧用ペン。
【考案の詳細な説明】
【０００１】
【考案の属する技術分野】
本考案は、液体化粧用ペンに関する。本考案の液体化粧用ペンは、内部の化粧品が液体状態なので、折れることがない。
【０００２】
【従来の技術及び課題】
化粧用ペンは、携帯、使用に便利であり、女性が好んで使用する化粧用品の一つである。しかしながら、一般の化粧用ペンはほとんど固形の化粧品が充填されている。したがって、使用中に折れたり、欠けたりして使用できなくなることがある。
【０００３】
【課題を解決するための手段】
本考案の液体化粧用ペンは、簡単、且つ、特殊な構造である。本考案の液体化粧用ペンには、液体の化粧品が充填されていて、操作も簡単であり、化粧品の流量も簡単にコントロールできるという特長を持つ。
本考案の液体化粧用ペンの管状部分は、中が空洞の管状体で、液体の化粧品を収納するようになっている。その管状部分の内側には径がやや小さく断面が丸くない収納部分がある。そして、管状体の下部の内壁にはリング状に溝が設けられている。ヘッド部分は、その底部が管状体の上部に挿入されて密閉状態になり、その端には塗布部分がある。また、ヘッド部分の軸に沿った貫通した引流口が設けられている。キャップは、管状部分にかぶせるようになっていて、ヘッド部分に対して密閉するようになっている。作動棒は、管状部分の内側に挿入するようになっている。そのうち、作動棒の外周にはネジ山が設けられている。また、その上端は管状部分の収納部分に対応して、上部ふたが設けられている。その上部ふたの外径と収納部分はきっちり合わさり密閉される。回転スティックは、上段が駆動管で、管状部分の下部に挿入されると同時に作動棒を収納する。その駆動管の内壁は作動棒のネジ山に対応する突出部分が、少なくとも一つ以上設けられている。また、駆動管の外壁には、溝に対応する位置に突起リングが設けられていて、管状部分が駆動管を定位置に固定する用になっている。
【０００４】
【考案の実施の形態】
図１、図２、図３を参照いただきたい。本考案の液体化粧用ペンは、管状部分１０、ヘッド部分２０、キャップ３０、作動棒４０及び回転スティック５０からなる。
管状部分１０は、中が空洞の管状体で、その管状部分１０の内側は、内径がやや小さく、断面が丸くない収納部分１１が形成されていて、液体化粧品１２を収納するようになっている。本考案の実施例においては、収納部分１１内壁断面は正六角形である。また、管状部分１０の下端には溝１３が設けられている。
ヘッド部分２０は、芯部分２１及び外部カバー２からなる。芯部分２１は弾力性のある柔らかい材質のプラスチックからできている。その底部には、リング状の突起部分があり、管状部分１０上端内にきっちりとはまり込む。ヘッド部分２０と管状部分１０の間は気密状態であり、軸心に沿って貫通した引流口２１２があって、液体化粧品１２がヘッド部分２０の先端から流出するようになっている。また、芯部分２１先端には、塗布部分２１３があり、その塗布部分２１３はウール状の布からできていて、液体化粧品１２を吸い付けて塗りやすくなっている。その外部カバー２２は芯部分２１の外にかぶせられて、管状部分１０内部にきっちりはまり込む。その外周には上に向かって細くなった円錐部分２２１がある。
キャップ３０は、きっちりと管状部分１０にはまり込んで、ヘッド部分２０に対して密閉状態を形成する。そのうち、キャップ３０内部には環状カバー３１があり、ヘッド部分２０の塗布部分２１３に対してさらに緊密な密閉状態を形成している。
作動棒４０は、管状部分１０内に挿入されていて、その作動棒４０の外周面にはネジ山４１があって、その上端は管状部分１０の収納部分１１に対応して上部ふた４２が設けられている。その上部ふた４１の断面は正六角形で、収納部分１１に対応して、収納部分１１の内径にきっちりと当てはまる。また、上部ふた４２には、リング状のＯ型リング４３がはまり、その先端にはさらに、気密マット４４があり、その気密マット４４は弾力性のある柔らかいプラスティック製で、その周囲は収納部分１１の形状に合わせた正六角形になっている。
回転スティック５０は、その上段に駆動管５１があって、管状部分１０の下部にはめ込むようになっている。そして、作動棒４０にはめ込まれる。その駆動管５１内壁は作動棒４０のネジ山４１に対応する突出部分５１１が少なくとも一つ以上ある。駆動管５１と作動棒４０は、ネジ山４１と突出部分５１１のかみ合わせによって、相対運動をする。また、駆動管５１外壁は溝１３する位置に環状の突起リング５１２があって、管状部分１０を回転スティック５０の決まった位置に固定するようになっている。また、その駆動管５１両側には、開口部に沿って内側に向かって切り込み５１３が入っていて、駆動管５１に変形した空間を形成している。
図４を参照いただきたい。回転スティック５０を回転させると、回転スティック５０と作動棒４０の間に、ネジ山４１と突出部分５１１のかみ合わせによって、相対運動が生じる。しかし、回転スティック５０は、管状部分１０によって固定されているため、作動棒４０が作動するのみである。また、収納部分１１内壁断面が丸くないので、作動棒４０が作動する際、回転することができず、前後の移動をするのみである。したがって、この作動棒４０が回転スティック５０の回転動作によって軸向移動を生じる。さらに、回転スティック５０の適度な回転が、作動棒４０を上に移動する時、収納部分１１内の液体化粧品１２をしぼり出し、液体化粧品１２はヘッド部分２０の引流口２１を経て、塗布部分２３から適量流出して、唇等に塗布できるようになっている。そして、流出量が多すぎた時、図５に示すように、回転スティック５０を反対方向に回すと、作動棒４０が下に向かって移動し、塗布部分２３外の液体化粧品１２を引流口２１を引き戻すので、無駄にすることがない。
本考案は、液体の化粧品を充填しているので、いかなる継ぎ目部分も厳重に漏れを防止する措置が施されている。例えば、管状部分１０とヘッド部分２０間は、芯部分２１の突起部分２１１と外部カバー２２本体によって、管状部分１０に対して、きっちりと密閉して、二重に漏れを防止する作用をもたせている。そして、管状部分１０と作動棒４０間は、上部ふた４１のＯ型リング４２が管状部分１０に対してきっちりと密閉して二重に漏れを防止する作用をもたせている。また、キャップ３０が管状部分１０にきっちりと密閉するほか、そのキャップ３０内にさらに、環状カバー３１があることで、二重に漏れを防止する作用をもたせている。また、漏れを防ぐ以外に、化粧品が空気に触れて固くなったり、汚染されたりするのを防ぐという効果もある。
【０００５】
【考案の効果】
本考案の液体化粧用ペンには、以下のような効果がある。
考案の液体化粧用ペンは、多重の漏れを防ぐ密閉構造があることにより、液体化粧品を収納することが可能で、その液体化粧品が漏れたり、固まったりすることがない。液体化粧品の製造コストは比較的安く、塗布しやすい。したがって、固体化粧品の、折れやすい、塗りにくいといった欠点を改選している。そして、化粧品のコストを押さえるのにも役立つ。
考案の液体化粧用ペンは、回転スティック５０と作動棒４０間の、かみ合わせ作用と、管状部分１０断面が丸くない収納部分１１によって、回転スティック５０の正反転だけで、簡単に操作でき、液体化粧品の流量をコントロールできるので、使用上便利であり、実用性に富む。
【図面の簡単な説明】
【図１】本考案の実施例の立体分解図である。
【図２】本考案の上述の実施例の立体組立図である。
【図３】本考案の上述の実施例の組立断面図である。
【図４】本考案の上述の実施例の、液体化粧品を送り出す動作を示した図である。
【図５】本考案の上述の実施例の、液体化粧品を引き戻す動作を示した図である。
【符号の説明】
１０　　　　　管状部分　　　　　　　　　　　　　　　　　１１　　　　　収納部分
１２　　　　　液体化粧品　　　　　　　　　　　　　　　１３　　　　　溝
２０　　　　　ヘッド部分　　　　　　　　　　　　　　　２１　　　　　芯部分
２１１　　　突起部分　　　　　　　　　　　　　　　　　２１２　　　引流口
２１３　　　塗布部分　　　　　　　　　　　　　　　　　２２　　　　　外部カバー
２２１　　　円錐部分　　　　　　　　　　　　　　　　　３０　　　　　キャップ
３１　　　　　環状カバー　　　　　　　　　　　　　　　４０　　　　　作動棒
４１　　　　　ネジ山　　　　　　　　　　　　　　　　　　　４２　　　　　上部ふた
４３　　　　　Ｏ型リング　　　　　　　　　　　　　　　４４　　　　　気密マット
５０　　　　　回転スティック　　　　　　　　　　　５１　　　　　駆動管
５１１　　　突出部分　　　　　　　　　　　　　　　　　５１２　　　突起リング
５１３　　　切り込み
【図１】
0003098280.tif 000003
【図２】
0003098280.tif 000004
【図３】
0003098280.tif 000005
【図４】
0003098280.tif 000006
【図５】
0003098280.tif 000007